(57)【要約】【課題】従来の形態変化の要素を備えながら、ユーザーの手を加えることなく形態を変化させることができる部分を備えるとともに、その形態の変化に直接関係しないが遊び心を備えた形態変化玩具を提供すること。【解決手段】一つの形態と他の形態とに形態を変化させる形態変化玩具Ａにおいて、該形態変化玩具Ａは第1の部材１と、第２の部材２との２つの部材で構成するとともに、上記第２の部材２を連結部材３を介して上記第１の部材１に対して上下に回動可能に連結し、上記第１の部材１に設けたロック部材２０が機能しているときは第２の部材２は第１の部材１と前後の位置関係となって一つの形態を構成し、ロックの機能を解除したときには第２の部材２は自重で下方に回動し、第１の部材１と上下の位置関係となって他の形態を構成するようにした。【選択図】図８
2009213668.tif 000002
【特許請求の範囲】
【請求項１】
一つの形態と他の形態とに相互に形態を変化させる、以下の要件を備えることを特徴とする形態変化玩具。
（イ）上記形態変化玩具は第１の部材と、第２の部材との２つの部材で構成されていること
（ロ）上記第２の部材は連結部材を介して上記第１の部材に対して上下に回動可能に連結されていること
（ハ）上記第１の部材又は第２の部材にはロック部材を設け、該ロック部材が機能しているときは第２の部材は第１の部材と前後の位置関係となって一つの形態を構成し、ロックの機能を解除したときには第２の部材は自重で下方に回動し、第１の部材と上下の位置関係となって他の形態を構成すること
（二）上記連結部材は上記第２の部材を回転させる回転機構を備え、該回転機構は上記第２の部材が自重で下方に回動するとき、第２の部材を自転させること
【請求項２】
前記連結部材と第１の部材との間には、前記第２の部材を下方に付勢するバネ部材を設けた、請求項１記載の形態変化玩具。
【発明の詳細な説明】
【技術分野】
【０００１】
本発明は、一つの形態から他の形態に相互に形態を変化させることができる形態変化玩具であって、特に形態の変化の過程で動きを伴う新しい発想の形態変化玩具に関するものである。
【背景技術】
【０００２】
従来、形態変化玩具の形態を変化させて遊ぶときには構成部品を一つひとつ手で操作しなければならず、操作の手順が煩雑であったため簡単な操作で玩具の形態を変化させることができる形態変化玩具が提案されている（例えば、特許文献１）。この形態変化玩具は折り畳み可能な２つの連結リンクの両端をそれぞれ基部材と可動部材とに回動可能に軸支し、上記可動部材の前後には前部材と後部材とを回動可能に軸支し、２つの連結リンクを折り畳んだ時には前部材と後部材とは連続して一つの形態を構成し、２つの連結リンクを伸長した時には上記前部材と後部材とは２つの連結リンクを両側から挟んで他の形態を構成するようにしたものである。
【特許文献１】実用新案登録第３０６８２１６号公報
【発明の開示】
【発明が解決しようとする課題】
【０００３】
本発明が解決しようとする問題点は、上述の形態変化玩具は、ワンタッチで形態を変化させることができるが、ユーザーが構成部品を動かして形態が変化していく様を楽しむことができないため、飽きられてしまう恐れがあった。
【０００４】
本発明は、上記問題点を解決し、従来の形態変化の要素を備えながら、ユーザーの手を加えることなく形態を変化させることができる部分を備えるとともに、その形態の変化に直接関係しないが遊び心を備えた新しい発想の形態変化玩具を提供することを課題とする。
【課題を解決するための手段】
【０００５】
前記課題を解決するために本発明に係る形態変化玩具は、一つの形態と他の形態とに相互に形態を変化させる、以下の要件を備えることを特徴とする。
（イ）上記形態変化玩具は第1の部材と、第２の部材との２つの部材で構成されていること
（ロ）上記第２の部材は連結部材を介して上記第１の部材に対して上下に回動可能に連結されていること
（ハ）上記第１の部材又は第２の部材にはロック部材を設け、該ロック部材が機能しているときは第２の部材は第１の部材と前後の位置関係となって一つの形態を構成し、ロックの機能を解除したときには第２の部材は自重で下方に回動し、第１の部材と上下の位置関係となって他の形態を構成すること
（二）上記連結部材は上記第２の部材を回転させる回転機構を備え、該回転機構は上記第２の部材が自重で下方に回動するとき、第２の部材を自転させること
【０００６】
なお、前記連結部材と第１の部材との間には、前記第２の部材を下方に付勢するバネ部材を設け、第２の部材の自重に加えバネ部材の弾性力で強制的に下動させることが好ましい。
【発明の効果】
【０００７】
請求項１の発明によれば、ロック部材を機能させているときは第１の部材と第２の部材とが前後の位置関係を保持して一つの形態を構成し、ロックを解除すると第２の部材が自重で下方に回動して第１の部材と第２の部材とが上下の位置関係となって他の形態を構成するとともに、第２の部材が自転しながら回動するので、自動的に形態が変化するだけではなく、形態の変化には直接関係ないが自転する動作が加わり、遊び心を備えた形態変化玩具を実現することができる。
【０００８】
請求項２の発明によれば、バネ部材で第２の部材を下方に強制的に回動させるので、第２の部材を確実に第１の部材の下方に回動させ、上下の位置関係を速やかに且つ確実に構成することができる。
【発明を実施するための最良の形態】
【０００９】
図１は、本発明に係る形態変化玩具Ａの一つの形態である走行体の一例を示す斜視図、図２は、側面図を示す。この走行体はトレーラーを牽引するトラクタトレーラーを模して形成されており、トラクタトレーラーの運転席（ロボットの形態時には上半身を構成）を模して形成された第１の部材１と、車台（ロボットの形態時には下半身を構成）を模して形成された第２の部材２とで構成され、第１の部材１と第２の部材２とは連結部材３で連結されるとともに、この連結部材３を介して第１の部材１に対して第２の部材２が上下方向に回動できるように連結されている。
【００１０】
第１の部材１は、上部にロボットの頭部４を起倒可能に収容する収容凹部５が形成され、この収容凹部５を覆う屋根部材６が開閉可能に設けられ、両側部にはロボットの形態における腕部７が回動可能に設けられている。
【００１１】
第２の部材２は、ロボットの形態における２つの脚部８で構成され、この脚部８の側面には後輪９と回動板１０とが設けられ、回動板１０は脚部８に軸１１で回動可能に取り付けられるとともに、先端には前輪１２を支持する支持板１３が取り付けられている。そして、支持板１３の先端にはバンパー１４が回動可能に取り付けられている。
【００１２】
連結部材３は、図３に示すように、基台１５と回転機構（歯車ユニット）１６とで構成され、基台１５はロボットの形態においてロボットの腰部を構成するもので、基台１５の両側部にはロボットの形態における脚部８を構成する第２の部材２を連結する連結材１７を回動可能に支持する支持部材１８が前後方向に回動可能に取り付けられ、この支持体１８に脚部８が連結材１７を介して回動可能に支持されて基台１５に対して脚部８が前後左右に回動できるようになっている。
【００１３】
そして、この基台１５の前面には、第１の部材１に形成された支軸（図示せず）に軸孔２０ｂが回動可能に軸支されているロック部材２０の係止爪２０ａがかみ込む係止凹部２１が形成され、上面には歯車ユニット１６の底部から下方に突出した軸２２の先端に形成された連結板２３が適宜手段で固定されている。
【００１４】
歯車ユニット１６は、ユニットケース２５と、ユニットケース２５の内部に配置されたクラウン歯車２６と、クラウン歯車２６と同軸でユニットケース２５の外部に配置された駆動歯車２７と、クラウン歯車２６に噛み合うピニオン歯車２８とで構成され、ピニオン歯車２８の軸２２には上述の連結板２３が一体に形成されている。
【００１５】
ユニットケース２５は両側面に支軸２９が突出して形成され、この支軸２９が第１の部材１に形成された軸受（図示せず）に軸支され、歯車ユニット１６は第１の部材１内で支軸２９を中心に回動できるように配置されている。
【００１６】
そして、上記駆動歯車２７は、上記ユニットケース２５の支軸２９と同心円の円弧状に湾曲して形成されたラックギヤ３０に噛み合うようになっており、このラックギヤ３０は嵌合穴３０ａが第１の部材１内に設けた嵌合軸（図示せず）に嵌合して固定されている。
【００１７】
なお、符号３１は、バネ部材を示し、このバネ部材３１は一端３１ａがユニットケース２５の側面に形成された孔３２に差し込まれ、他端３１ｂが第１の部材１に形成された支持孔（図示せず）に取り付けられ、第２の部材２（脚部８）は自重に加え、このバネ部材３１の弾性力で下方に回動するように付勢されている。
【００１８】
図４に示すように、ロック部材２５の係止爪２５ａが基台１５の係止凹部２１に噛み合って、第２の部材２が下方に回動できないようにロックしている状態では、図２に示すように、第１の部材１と第２の部材２とは前後の位置関係を維持し、形態変化玩具Ａは走行体の形態をなしている。
【００１９】
次に、上記構成の形態変化玩具を第１の形態である走行体の形態から、第２の形態であるロボットの形態に形態を変化させる場合について説明する。先ず、第２の部材２に取り付けられている回動板１０を軸１１を支点にして後方に折り返し、前輪１２を脚部８の側面に並接するように移動させるとともに、腕部７を第１の部材１から離反するように外側に回動させ（図５参照）、第１の部材１を一方の手で保持して玩具Ａ全体を持ち上げた状態で他方の手でロック部材２０の操作部２５ｃを下に押し下げて、基台１５のロック状態を解除する（図６（ａ）参照）。
【００２０】
基台１５には連結材１７を介して第２の部材２（脚部８）が取り付けられているので、脚部８の自重に加え、バネ部材３１の弾性力に付勢されて下方に強制的に回動させられる。
【００２１】
そして、第２の部材２は連結部材３を介して第１の部材１に連結されているので、歯車ユニット１６は第２の部材２と一体で支軸２０を中心に下方に回動する。この時、歯車ユニット１６の駆動歯車２７はラックギヤ３０に噛み合っているので、駆動歯車２７が回転させられ、この駆動歯車２７と同軸のクラウン歯車２６が回転させられるので、クラウン歯車２６に噛合しているピニオン歯車２８が回転させられることになる。
【００２２】
ピニオン歯車２８が回転すると連結板２３が回転することになるが、この連結板２３は基台１５に固定されているので、連結板２３と一体の基台１５が回転することにより連結材１７を介して連結されている第２の部材２（脚部８）は自転しながら下方に回動する（図６（ｂ）参照）。
【００２３】
第２の部材２が自重に加えてバネ部材３１に付勢されて垂直の状態になるまで回動すると、駆動歯車２７とラックギヤ３０との噛み合いが外れて駆動歯車２７はフリーになっているので第１の部材１に対して第２の部材２を自由に回転させることができる状態になる(図６（ｃ）参照)。
【００２４】
この状態では第１の部材１と第２の部材２との位置関係は前後位置から上下位置に変わっているので、形態変化玩具Ａは、図７に示すように、第２の部材２を下半身、第１の部材を上半身として起立した状態になり、ロボットの形態に変化したことになるが、さらに完璧なロボットの形態にするためには、第１の部材１の上面の一部を覆っている屋根部材６を後方に倒し、収容凹部５に収容されている頭部４を起こし、折り畳まれている手部３２を引き起こせば、図８に示すような完全な状態のロボットの形態をなす他の形態に変化させることができる。
【００２５】
上述したように、ロック部材２５によるロック状態を解除し、第１の部材１に対し第２の部材２を自重に加えバネ部材３１の弾性力を利用して下方に回動させ、第１の部材と第２の部材との位置関係を前後位置から上下位置に変えることにより、第１の形態から第２の形態への形態の変化をさせることができるとともに、形態の変化の過程で、形態の変化には直接関係ないが第２の部材２が自転しながら下方に回動する動きを楽しむことができ、従来の形態変化玩具にはなかった遊び心を備えた形態変化玩具を実現することができる。
【図面の簡単な説明】
【００２６】
【図１】本発明の形態変化玩具の一つの形態を説明する斜視図
【図２】上記形態変化玩具の一つの形態を説明する側面図
【図３】連結部材の構成を説明する分解斜視図
【図４】上記連結部材と第１の部材、第２の部材との関係を説明する側面図
【図５】上記形態変化玩具の形態を変化させる準備段階を説明する斜視図
【図６】（ａ）〜（ｃ）はロック部材を解除したときの第２の部材の動きを説明する側面図
【図７】上記形態変化玩具が他の形態に形態を変化させる過程を説明する斜視図
【図８】上記形態変化玩具が他の形態に形態が変化状態を説明する斜視図
【符号の説明】
【００２７】
１    第１の部材
２    第２の部材
３    連結部材
１６    回転機構（歯車ユニット）
２０    ロック部材
Ａ    形態変化玩具
【図１】
2009213668.tif 000003
【図２】
2009213668.tif 000004
【図３】
2009213668.tif 000005
【図４】
2009213668.tif 000006
【図５】
2009213668.tif 000007
【図６】
2009213668.tif 000008
【図７】
2009213668.tif 000009
【図８】
2009213668.tif 000010